【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
入力画像を処理することによりピント位置の異なる複数の出力画像を生成可能な画像処理装置であって、
前記入力画像の撮影条件情報を記憶する記憶部と、
前記撮影条件情報を用いて前記入力画像から前記出力画像を生成する画像処理部と、を有し、
前記画像処理部は、
結像光学系と複数の画素を有する撮像素子とを介して、複数の視点から被写体空間の情報を取得した画像である前記入力画像を取得し、
前記被写体空間の同一領域の情報を取得した前記入力画像の画素群の平均画素値を算出し、該画素群のそれぞれの画素値を該平均画素値で置換し、
前記平均画素値で置換された画素群の画素が互いにずれるように合成して前記出力画像を生成する、ことを特徴とする画像処理装置。
【請求項２】
前記画像処理部は、前記平均画素値で置換された前記画素群の画素のずれ量が該画素の非整数倍となるように合成して前記出力画像を生成することを特徴とする請求項１に記載の画像処理装置。
【請求項３】
前記画像処理部は、第１ピント位置が指定された際、該第１ピント位置との差が前記結像光学系の焦点深度の範囲内である第２ピント位置にピントの合った前記出力画像を生成することを特徴とする請求項１または２に記載の画像処理装置。
【請求項４】
前記記憶部は、前記撮影条件情報として前記入力画像の距離情報を記憶し、
前記画像処理部は、前記距離情報を用いて、前記画素群のそれぞれの画素値を前記平均画素値で置換し、該平均画素値で置換された画素群の画素が互いにずれるように合成して前記出力画像を生成することを特徴とする請求項１乃至３のいずれか１項に記載の画像処理装置。
【請求項５】
入力画像を処理することによりピント位置の異なる複数の出力画像を生成可能な撮像装置であって、
結像光学系と、
複数の画素を備えた撮像素子と、
被写体面の同一位置からの光線を、該光線が通過する前記結像光学系の瞳領域に応じて、前記撮像素子の互いに異なる画素に入射させるレンズアレイと、
前記撮像素子で取得された前記入力画像から前記出力画像を生成する画像処理部と、を有し、
前記画像処理部は、
前記結像光学系、前記撮像素子、および、前記レンズアレイを介して、複数の視点から被写体空間の情報を取得した画像である前記入力画像を取得し、
前記被写体空間の同一領域の情報を取得した前記入力画像の画素群の平均画素値を算出し、該画素群のそれぞれの画素値を該平均画素値で置換し、
前記平均画素値で置換された画素群の画素が互いにずれるように合成して前記出力画像を生成する、ことを特徴とする撮像装置。
【請求項６】
前記レンズアレイは、前記結像光学系の前記被写体面に対する像側共役面に配置されていることを特徴とする請求項５に記載の撮像装置。
【請求項７】
前記レンズアレイは、前記結像光学系の前記被写体面に対する像側共役面と前記撮像素子とが共役となるように配置されていることを特徴とする請求項５に記載の撮像装置。
【請求項８】
入力画像を処理することによりピント位置の異なる複数の出力画像を生成可能な撮像装置であって、
正の屈折力を有する複数の光学系を備えた結像光学系と、
複数の画素を備えた少なくとも１つの撮像素子と、
前記撮像素子で取得された前記入力画像から前記出力画像を生成する画像処理部と、を有し、
前記結像光学系の瞳を、前記複数の光学系の瞳を合成した瞳であるとしたとき、前記複数の光学系は、被写体面の同一位置からの光線を、該光線が通過する前記結像光学系の瞳領域に応じて、前記撮像素子の互いに異なる画素に入射させるように配列されており、
前記画像処理部は、
前記結像光学系および前記撮像素子を介して、複数の視点から被写体空間の情報を取得した画像である前記入力画像を取得し、
前記被写体空間の同一領域の情報を取得した前記入力画像の画素群の平均画素値を算出し、該画素群のそれぞれの画素値を該平均画素値で置換し、
前記平均画素値で置換された画素群の画素が互いにずれるように合成して前記出力画像を生成する、ことを特徴とする撮像装置。
【請求項９】
入力画像を処理することによりピント位置の異なる複数の出力画像を生成可能な画像処理方法であって、
結像光学系と複数の画素を有する撮像素子とを介して複数の視点から被写体空間の情報を取得した画像である前記入力画像を取得するステップと、
前記被写体空間の同一領域の情報を取得した前記入力画像の画素群の平均画素値を算出し、該画素群のそれぞれの画素値を該平均画素値で置換するステップと、
前記平均画素値で置換された画素群の画素が互いにずれるように合成して前記出力画像を生成するステップと、を有することを特徴とする画像処理方法。
【請求項１０】
入力画像を処理することによりピント位置の異なる複数の出力画像を生成可能な画像処理プログラムであって、
結像光学系と複数の画素を有する撮像素子とを介して複数の視点から被写体空間の情報を取得した画像である前記入力画像を取得するステップと、
前記被写体空間の同一領域の情報を取得した前記入力画像の画素群の平均画素値を算出し、該画素群のそれぞれの画素値を該平均画素値で置換するステップと、
前記平均画素値で置換された画素群の画素が互いにずれるように合成して前記出力画像を生成するステップと、
を情報処理装置に実行させるように構成されていることを特徴とする画像処理プログラム。
【手続補正２】
【補正対象書類名】明細書
【補正対象項目名】０００８
【補正方法】変更
【補正の内容】
【０００８】
本発明の一側面としての画像処理装置は、入力画像を処理することによりピント位置の異なる複数の出力画像を生成可能な画像処理装置であって、前記入力画像の撮影条件情報を記憶する記憶部と、前記撮影条件情報を用いて前記入力画像から前記出力画像を生成する画像処理部とを有し、前記画像処理部は、結像光学系と複数の画素を有する撮像素子とを介して、複数の視点から被写体空間の情報を取得した画像である前記入力画像を取得し、前記被写体空間の同一領域の情報を取得した前記入力画像の画素群の平均画素値を算出し、該画素群のそれぞれの画素値を該平均画素値で置換し、前記平均画素値で置換された画素群の画素が互いにずれるように合成して前記出力画像を生成する。
【手続補正３】
【補正対象書類名】明細書
【補正対象項目名】０００９
【補正方法】変更
【補正の内容】
【０００９】
本発明の他の側面としての撮像装置は、入力画像を処理することによりピント位置の異なる複数の出力画像を生成可能な撮像装置であって、結像光学系と、複数の画素を備えた撮像素子と、被写体面の同一位置からの光線を、該光線が通過する前記結像光学系の瞳領域に応じて、前記撮像素子の互いに異なる画素に入射させるレンズアレイと、前記撮像素子で取得された前記入力画像から前記出力画像を生成する画像処理部とを有し、前記画像処理部は、前記結像光学系、前記撮像素子、および、前記レンズアレイを介して、複数の視点から被写体空間の情報を取得した画像である前記入力画像を取得し、前記被写体空間の同一領域の情報を取得した前記入力画像の画素群の平均画素値を算出し、該画素群のそれぞれの画素値を該平均画素値で置換し、前記平均画素値で置換された画素群の画素が互いにずれるように合成して前記出力画像を生成する。
【手続補正４】
【補正対象書類名】明細書
【補正対象項目名】００１０
【補正方法】変更
【補正の内容】
【００１０】
本発明の他の側面としての撮像装置は、入力画像を処理することによりピント位置の異なる複数の出力画像を生成可能な撮像装置であって、正の屈折力を有する複数の光学系を備えた結像光学系と、複数の画素を備えた少なくとも１つの撮像素子と、前記撮像素子で取得された前記入力画像から前記出力画像を生成する画像処理部とを有し、前記結像光学系の瞳を、前記複数の光学系の瞳を合成した瞳であるとしたとき、前記複数の光学系は、被写体面の同一位置からの光線を、該光線が通過する前記結像光学系の瞳領域に応じて、前記撮像素子の互いに異なる画素に入射させるように配列されており、前記画像処理部は、前記結像光学系および前記撮像素子を介して、複数の視点から被写体空間の情報を取得した画像である前記入力画像を取得し、前記被写体空間の同一領域の情報を取得した前記入力画像の画素群の平均画素値を算出し、該画素群のそれぞれの画素値を該平均画素値で置換し、前記平均画素値で置換された画素群の画素が互いにずれるように合成して前記出力画像を生成する。
【手続補正５】
【補正対象書類名】明細書
【補正対象項目名】００１１
【補正方法】変更
【補正の内容】
【００１１】
本発明の他の側面としての画像処理方法は、入力画像を処理することによりピント位置の異なる複数の出力画像を生成可能な画像処理方法であって、結像光学系と複数の画素を有する撮像素子とを介して複数の視点から被写体空間の情報を取得した画像である前記入力画像を取得するステップと、前記被写体空間の同一領域の情報を取得した前記入力画像の画素群の平均画素値を算出し、該画素群のそれぞれの画素値を該平均画素値で置換するステップと、前記平均画素値で置換された画素群の画素が互いにずれるように合成して前記出力画像を生成するステップとを有する。
【手続補正６】
【補正対象書類名】明細書
【補正対象項目名】００１２
【補正方法】変更
【補正の内容】
【００１２】
本発明の他の側面としての画像処理プログラムは、入力画像を処理することによりピント位置の異なる複数の出力画像を生成可能な画像処理プログラムであって、結像光学系と複数の画素を有する撮像素子とを介して複数の視点から被写体空間の情報を取得した画像である前記入力画像を取得するステップと、前記被写体空間の同一領域の情報を取得した前記入力画像の画素群の平均画素値を算出し、該画素群のそれぞれの画素値を該平均画素値で置換するステップと、前記平均画素値で置換された画素群の画素が互いにずれるように合成して前記出力画像を生成するステップとを情報処理装置に実行させるように構成されている。